(57)【要約】  【課題】  被検体と接触する音響レンズの表面温度の上昇を抑制することが可能な超音波探触子を提供する。  【解決手段】  超音波探触子の筐体５に内包されている超音波センサ３から発生する熱を筐体外部に放熱するための放熱窓６を設ける。この放熱窓に用いられる材料の熱伝導率Ｍは、筐体に用いられる材料の熱伝導率Ｎと、Ｎ＜Ｍの関係を有している。また、超音波センサの周囲に充填されている封止層７に接するように、放熱窓を設ける。これにより、超音波センサで発生した熱は、封止層を介して放熱窓に伝わり、放熱窓を通じて外部に放熱される。さらに、放熱窓に用いられる材料の熱伝導率Ｍは、封止層に用いられる材料の熱伝導率Ｆと、Ｍ≧Ｆの関係を有するようにすることが望ましい。【選択図】  図１
2006158483.tif 000002
【特許請求の範囲】
【請求項１】
少なくとも超音波センサが内包されている筐体を有する超音波探触子であって、
前記筐体の一部に放熱窓が設けられているとともに、前記筐体に用いられる材料の熱伝導率Ｎと前記放熱窓に用いられる材料の熱伝導率ＭとがＮ＜Ｍの関係を有しており、使用時に前記超音波センサにおいて発生する熱が前記放熱窓に伝導して前記放熱窓から前記筐体の外部に放熱されるように構成されている超音波探触子。
【請求項２】
前記放熱窓が前記超音波センサの周囲に充填されている封止層に接するように前記筐体の一部に設けられている請求項１に記載の超音波探触子。
【請求項３】
前記放熱窓に用いられる材料の熱伝導率Ｍと前記封止層に用いられる材料の熱伝導率ＦとがＭ≧Ｆの関係を有している請求項２に記載の超音波探触子。
【請求項４】
前記超音波センサの周囲に充填されている封止層、使用時に被検体に接触する音響レンズ、前記超音波センサのうちの少なくとも１つと前記放熱窓の両方に接する熱伝達部材が設けられており、前記熱伝達部材の熱伝導率Ｄ１と前記封止層に用いられる材料の熱伝導率ＦとがＤ１＞Ｆの関係を有している請求項１から３のいずれか１つに記載の超音波探触子。
【請求項５】
前記超音波センサの周囲に充填されている封止層に接するように前記筐体の内壁の一部又は全部に密着する熱伝導部材が設けられており、前記熱伝導部材の熱伝導率Ｄ２と前記筐体に用いられる材料の熱伝導率ＮとがＤ２＞Ｎの関係を有している請求項１から４のいずれか１つに記載の超音波探触子。
【発明の詳細な説明】
【技術分野】
【０００１】
本発明は、超音波診断に利用される超音波探触子に関し、特に、超音波センサの熱を放熱し、被検体に接触する音響レンズの表面温度の上昇を抑制することのできる超音波探触子に関する。
【背景技術】
【０００２】
従来の超音波探触子は、図４に示すように、その筐体１０１が、超音波センサ１０２と、音響レンズ１０３と、システム本体（超音波診断装置本体、図示せず）と電気信号を送受信する信号線１０４と、多数の信号線１０４の集合体であるケーブル１０５と、筐体１０１の内部に充填される封止層１０６とを収容する構造を有している。封止層１０６は、超音波センサの機械的な固定を行うとともに、複数の構成要素から組み立てられる筐体１０１の接合のために充填される。この封止層１０６には、例えば、エポキシ樹脂や発泡ウレタンなどが採用されている。また、筐体１０１には、例えば、ＡＢＳ（アクリロニトリル−ブタジエン−スチレン）樹脂や、ポリフェニレンエーテルなどの材料が用いられている。
【０００３】
超音波センサ１０２は、システム本体からの電気信号を超音波に変換し、音響レンズ１０３を介して、音響レンズ１０３に接触する被検体（図示せず）の体内に超音波を放射するが、このとき、超音波センサ１０２に熱が発生し、この熱が音響レンズ１０３に伝わって、音響レンズ１０３の被検体側の表面温度を上昇させることが知られている。
【０００４】
例えば、下記の特許文献１には、被検体に接触している部分の温度上昇を抑制するため、超音波探触子の筐体内に２種類のモールド材を充填させて、２種類の封止層を形成する技術が開示されている。熱の発生源である振動子周辺に充填されるモールド材として、相対的に熱伝導率が高く、かつ比重が大きい材料が用いられる。
【０００５】
また、超音波診断時に、超音波探触子の送信電圧や使用継続時間に制限を設けることによって、音響レンズ１０３の被検体側の表面温度が、安全基準に定められている所定の温度より高くならないようにする方法も採用されている。
【特許文献１】特開平１０−８５２１９号公報（図１）
【発明の開示】
【発明が解決しようとする課題】
【０００６】
しかしながら、従来の超音波探触子においては、筐体に用いられている材料の熱伝導率が約０．２［Ｗ／（ｍ・ｋ）］と低いため、筐体内部の熱を十分に外部に放熱することができない。その結果、筐体内部で、熱が蓄積してしまい、超音波センサで発生する熱に関して、音響レンズ以外の箇所に分散する熱量が少ないという問題点がある。
【０００７】
また２種類以上の封止層を設ける場合、２度のモールド材の注入作業や、それぞれのモールド材の硬化時間などを必要とするため、時間や手間などの作業性が悪いという問題点もある。
【０００８】
本発明は、上記問題に鑑み、被検体に接触する音響レンズの表面温度の上昇を抑制することが可能な超音波探触子を提供することを目的とする。
【課題を解決するための手段】
【０００９】
上記目的を達成するため、本発明の超音波探触子は、少なくとも超音波センサが内包されている筐体を有する超音波探触子であって、
筐体の一部に放熱窓が設けられているとともに、筐体に用いられる材料の熱伝導率Ｎと放熱窓に用いられる材料の熱伝導率ＭとがＮ＜Ｍの関係を有しており、使用時に超音波センサにおいて発生する熱が放熱窓に伝導して放熱窓から筐体の外部に放熱されるように構成されている。
この構成により、筐体内部に蓄積される熱や被検体側に伝わる熱を低減させることが可能となり、被検体と接触する音響レンズの表面温度の上昇を抑制することが可能となる。
【００１０】
また、本発明の超音波探触子は、上記の構成に加えて、放熱窓が超音波センサの周囲に充填されている封止層に接するように筐体の一部に設けられている。
この構成により、超音波センサで発生した熱を封止層を介して放熱窓に伝え、放熱窓を通じて外部に放熱することが可能となり、被検体と接触する音響レンズの表面温度の上昇を抑制することが可能となる。
【００１１】
また、本発明の超音波探触子は、上記の構成に加えて、放熱窓に用いられる材料の熱伝導率Ｍと封止層に用いられる材料の熱伝導率ＦとがＭ≧Ｆの関係を有している。
この構成により、効率的に封止層内の熱を放熱窓に伝えて、外部に放熱することが可能となり、被検体と接触する音響レンズの表面温度の上昇を抑制することが可能となる。
【００１２】
さらに、本発明の超音波探触子は、上記の構成に加えて、超音波センサの周囲に充填されている封止層、使用時に被検体に接触する音響レンズ、超音波センサのうちの少なくとも１つと放熱窓の両方に接する熱伝達部材が設けられており、熱伝達部材の熱伝導率Ｄ１と封止層に用いられる材料の熱伝導率ＦとがＤ１＞Ｆの関係を有している。
この構成により、超音波センサで発生する熱を、超音波センサ、音響レンズ、封止層のうちの少なくとも１つの構成要素から、熱伝導部材を通じて放熱窓に伝えて、外部に放熱することが可能となり、被検体と接触する音響レンズの表面温度の上昇を抑制することが可能となる。
【００１３】
さらに、本発明の超音波探触子は、上記の構成に加えて、超音波センサの周囲に充填されている封止層に接するように筐体の内壁の一部又は全部に密着する熱伝導部材が設けられており、熱伝導部材の熱伝導率Ｄ２と筐体に用いられる材料の熱伝導率ＮとがＤ２＞Ｎの関係を有している。
この構成により、超音波センサで発生する熱を封止層を介して熱伝導層に伝え、さらに、熱伝導層から放熱窓を通じて外部に放熱することが可能となり、被検体と接触する音響レンズの表面温度の上昇を抑制することが可能となる。また、筐体の内壁の広い範囲に熱伝導層を密着させた場合には、超音波センサで発生する熱を筐体全体に分散させることが可能となり、被検体と接触する音響レンズの表面温度の上昇を抑制することが可能となる。
【発明の効果】
【００１４】
本発明は、上記構成を有しており、被検体と接触する音響レンズの表面温度の上昇を抑制することができるという効果を有している。さらに、少ない封止材（モールド材）によって、被検体と接触する音響レンズの表面温度の上昇を抑制することができるので、超音波探触子の軽量化及び操作性の向上を実現することができる。
【発明を実施するための最良の形態】
【００１５】
以下、図面を参照しながら、本発明の第１〜第３の実施の形態における超音波探触子について説明する。
【００１６】
＜第１の実施の形態＞
まず、本発明の第１の実施の形態における超音波探触子について説明する。図１は、本発明の第１の実施の形態における超音波探触子の概略構造図である。なお、図１には、超音波探触子の短軸方向（使用時に接触する被検体の表面に対して略平行となる方向）に対して垂直な断面が模式的に図示されている。
【００１７】
図１に示す超音波探触子は、ケーブル１、信号線２、超音波センサ３、音響レンズ４、筐体５、放熱窓６、封止層７を有している。ケーブル１は、システム本体（超音波診断装置本体、図示せず）との間で電気信号を送受信する複数の信号線２の集合体であり、シリコンやポリ塩化ビニルなどの材料からなるシースで覆われている。また、信号線２は、超音波センサ３内の圧電素子（図示せず）と電気的に接続されている。したがって、超音波センサ３とシステム本体とは、ケーブル１及び信号線２を介して電気的に接続されている。
【００１８】
また、超音波センサ３の被検体（図示せず）と接触する側（以下、被検体側と呼ぶ）には、シリコン材などによって構成されており、被検体と接触して超音波を効率的に送受信するために、関心領域に応じた深さに焦点が合うような曲面形状を有する音響レンズ４が設けられている。
【００１９】
また、筐体５は、ＡＢＳ樹脂やポリフェニレンエーテルなどの材料によって構成されており、超音波探触子全体の形状を形成している。この筐体５は、ケーブル１、信号線２、超音波センサ３、音響レンズ４のそれぞれの一部又はすべてを収容している。また、筐体５の一部には、筐体５の内部の熱を外部に放熱するための放熱窓６が設けられている。
【００２０】
この放熱窓６に用いられる材料としては、筐体５に用いられる材料の熱伝導率よりも大きい熱伝導率を有する材料が用いられる。すなわち、筐体５の熱伝導率Ｎと放熱窓６の熱伝導率Ｍとの関係は、Ｎ＜Ｍである。
【００２１】
また、超音波センサ３の周囲や音響レンズ４の一部と接するように、エポキシ樹脂やシリコン樹脂などを充填・硬化させた封止層７が存在する。放熱窓６は、この封止層７の一部と接するように設けられている。
【００２２】
次に、上述のような構成を有する、図１に示す超音波探触子に係る動作について説明する。まず、ケーブル１と信号線２を介して、システム本体より電気信号が超音波センサ３の圧電素子に加えられると、圧電素子は、電気信号を超音波に変換する。このときに発生する熱は、超音波センサ３に接する音響レンズ４や封止層７に伝導する。すなわち、超音波センサ３で発生した熱は、音響整合板（図示せず）を介して、音響レンズ４の方向（被検体側の方向）に伝導して音響レンズ４に伝わったり、あるいは、被検体と反対のバッキング（図示せず）や封止層７の方向に対して伝わったりする。
【００２３】
封止層７に伝わった熱は、さらに筐体５や放熱窓６に伝わる。ここで、上述のように、放熱窓６には、筐体５よりも熱伝導率が高い材料が用いられているため、熱が筐体５よりも放熱窓６に対して積極的に伝わり、この放熱窓６から外部に放熱が行われることによって、筐体５内に蓄積される熱を低減させることができるようになるとともに、音響レンズ４に伝わる熱を低減させて、音響レンズ４の表面温度の上昇を抑制することが可能となる。
【００２４】
なお、放熱窓６の熱伝導率Ｍは、封止層７の熱伝導率Ｆに対して、Ｍ≧Ｆの関係とした場合には、より少ない面積の放熱窓６で熱を外部に放熱することが可能となる。すなわち、上述の構成において、更に、放熱窓６の熱伝導率Ｍと封止層７の熱伝導率Ｆとの関係が、Ｍ≧Ｆとなるようにすることが望ましい。なお、封止層７の熱伝導率Ｆは、例えば、０．７［Ｗ／（ｍ・ｋ）］以上であることが望ましい。
【００２５】
また、図１では、封止層７が、超音波センサ３の上面（被検体側と対向する面）と同一レベルの面まで充填されているが、例えば、信号線２まで充填させるなど、任意の位置まで充填させることが可能である。例えば、封止層７を信号線２まで充填させた場合には、封止層７の体積が増加する結果、封止層７全体の熱容量が増加し、音響レンズ４の表面温度の上昇を更に抑制することが可能となる。
【００２６】
また、図１では、放熱窓６と封止層７とが、それぞれ異なる部材によって構成されている状態が図示されているが、放熱窓６と封止層７とを同一の材料によって構成してもよく、さらには、放熱窓６と封止層７とを一体成型してもよい。
【００２７】
また、放熱窓６の形成方法としては、例えば、まず、あらかじめ孔（筐体５と放熱窓６との境界面に対応する部分）が設けられた筐体５を用いて、超音波センサ３と音響レンズ４、信号線２、ケーブル１を収容して組み立てを行い、続いて、筐体５の孔の外側のマスキング処理を行う。次に、超音波センサ３の周囲に封止層７を形成するために、エポキシ樹脂やシリコン樹脂などの封止材（モールド材）を注入する。このとき、封止材が、上述の孔にも充填されることで、封止層７と同時に放熱窓６を形成することが可能となる。この製造方法によれば、製造工程の簡便化が実現される。
【００２８】
また、放熱窓６の別の形成方法としては、あらかじめ孔（筐体５と放熱窓６との境界面に対応する部分）が設けられた筐体５を用いて、超音波センサ３と信号線２、ケーブル１を収容して組み立てを行い、続いて、筐体５の孔の外側と、超音波センサ３の被検体側とに対してマスキング処理を行う。超音波センサ３の被検体側に対しては、例えば、音響レンズ４の形状に応ずる形状の金型などでマスキングを行う。次に、超音波センサ３の周囲に封止層７及び音響レンズ４を形成するために、エポキシ樹脂やシリコン樹脂などの封止材（モールド材）を注入する。このとき、封止材が、上述の孔にも充填されることで、封止層７と同時に放熱窓６を形成することが可能となる。
【００２９】
なお、上述の放熱窓６の形成方法では、封止材の注入によって、放熱窓６と封止層７とが同時に形成されるが、例えば、上述の孔の内側にマスキング処理を行い、封止材の充填・硬化による封止層７の形成後に放熱窓６の形成を行うなど、放熱窓６の形成工程と、封止層７の形成工程とをそれぞれ別々に行うことも可能である。
【００３０】
以上、説明したように、本発明の第１の実施の形態における超音波探触子によれば、封止層７と接するように筐体５の一部に放熱窓６を設けるとともに、筐体５の熱伝導率Ｎと放熱窓６の熱伝導率Ｍとの関係が、Ｎ＜Ｍとなるようにすることによって、超音波センサ３で発生した熱を積極的に放熱窓６に伝導して、外部に放熱することが可能となる。その結果、音響レンズ４の表面温度の上昇を抑制することが可能となる。
【００３１】
また、従来は、封止層７の体積を大きくすることによって、熱がなるべく封止層７内に分散するようにしていたが、本発明の第１の実施の形態における超音波探触子によれば、封止層７をケーブル１に達するまで充填させる必要がなくなり、封止層７の体積を必要最小限にまで小さくすることができ、超音波探触子の軽量化及び操作性の向上を図ることが可能となる。
【００３２】
＜第２の実施の形態＞
次に、本発明の第２の実施の形態における超音波探触子について説明する。図２は、本発明の第２の実施の形態における超音波探触子の概略構造図である。なお、図２には、超音波探触子の短軸方向（使用時に接触する被検体の表面に対して略平行となる方向）に対して垂直な断面が模式的に図示されている。
【００３３】
図２に示す超音波探触子は、ケーブル１、信号線２、超音波センサ３、音響レンズ４、筐体５、放熱窓６、封止層７、熱伝導路８を有している。なお、ケーブル１、信号線２、超音波センサ３、音響レンズ４、筐体５、放熱窓６、封止層７に関しては、上述の第１の実施の形態と同様であり、説明を省略する。
【００３４】
図２に示す超音波探触子は、図１に示す超音波探触子に、さらに、放熱窓６及び封止層７の両方に接するように熱伝達部材を用いた熱伝導路８が設けられている。この熱伝導路８に用いられる材料としては、封止層７に用いられる材料の熱伝導率よりも大きい熱伝導率を有する材料が用いられる。すなわち、封止層７の熱伝導率Ｆと熱伝導路８の熱伝導率Ｄ１との関係は、Ｆ＜Ｄ１である。熱伝導路８には、例えば、チタン、鉄、銅、真鍮、金、銀、カーボンナノチューブや、酸化マグネシウム、アルミナ、窒化ホウ素、窒化ケイ素、窒化アルミニウムや、グラファイトを含むプラスチックやシリコンやエポキシ、アクリル、ウレタンなどの材料が利用可能である。
【００３５】
また、さらに、熱伝導路８は、放熱窓６及び封止層７の両方に加えて、超音波センサ３の一部に接するように配置されてもよい。この場合には、熱伝導路８は、超音波センサ３のバッキング（図示せず）や、音響整合板（図示せず）に接するように配置されることが望ましい。また、さらに、熱伝導路８が、音響レンズ４と接するように配置されてもよい。
【００３６】
次に、上述のような構成を有する、図２に示す超音波探触子に係る動作について説明する。上述の第１の実施の形態における超音波探触子と同様に、超音波センサ３において発生した熱は、超音波センサ３に接する音響レンズ４や封止層７を始めとする様々な方向に伝導する。このとき、封止層７に伝導した熱は、相対的に熱伝導率の大きい熱伝導路８を通じて、迅速に、放熱窓６に伝導される。すなわち、熱伝導路８は、封止層７よりも早く熱を伝えることが可能であり、熱伝導路８の存在によって、上述の第１の実施の形態における超音波探触子よりも、音響レンズ４の表面温度の上昇を抑制する効果を高めることが可能となる。
【００３７】
また、熱伝導路８を超音波センサ３の一部に接触するように配置した場合には、熱伝導路８は、超音波センサ３で発生した熱を、直接、放熱窓６にまで導くことが可能となり、音響レンズ４の表面温度の上昇を抑制する効果を更に高めることが可能となる。
【００３８】
なお、図２に図示されている熱伝導路８は、放熱窓６から水平方向に直線的に配置されているが、封止層７と熱伝導路８との接触面積を大きくするために、例えば、熱伝導路８が、封止層７内を上下あるいは左右に蛇行するように構成したり、熱伝導路８に突起部を設けたりすることも可能である。例えば、熱伝導路８を蛇行形状とする場合には、熱伝導路８の材料として、柔軟性のある銅箔、アルミ箔、シリコンシート、グラファイトシートなどを用いることが望ましい。
【００３９】
また、図２では、放熱窓６と封止層７とが接するように構成されているが、例えば、放熱窓６を封止層７と接していない筐体５の一部に設け、この放熱窓６と封止層７とを熱伝導路８によって接続することも可能である。
【００４０】
また、さらに、封止層７を設けずに、熱伝導路８を超音波センサ３や音響レンズ４と直接接するように配置することも可能である。この場合には、封止層７を設けないため、超音波探触子の軽量化及び操作性の向上を図ることが可能となる。
【００４１】
以上、説明したように、本発明の第２の実施の形態における超音波探触子によれば、封止層７と接するように筐体５の一部に放熱窓６を設けるとともに、筐体５の熱伝導率Ｎと放熱窓６の熱伝導率Ｍとの関係が、Ｎ＜Ｍとなるようにし、さらに、放熱窓６に熱を導くために、封止層７の熱伝導率より大きい熱伝導率を有する熱伝導路８を放熱窓６と接するように配置することによって、超音波センサ３で発生した熱を積極的に放熱窓６に伝導して外部に放熱することが可能となる。その結果、音響レンズ４の表面温度の上昇を抑制することが可能となる。
【００４２】
＜第３の実施の形態＞
次に、本発明の第３の実施の形態における超音波探触子について説明する。図３は、本発明の第３の実施の形態における超音波探触子の概略構造図である。なお、図３には、超音波探触子の短軸方向（使用時に接触する被検体の表面に対して略平行となる方向）に対して垂直な断面が模式的に図示されている。
【００４３】
図３に示す超音波探触子は、ケーブル１、信号線２、超音波センサ３、音響レンズ４、筐体５、放熱窓６、封止層７、熱伝導層９を有している。なお、ケーブル１、信号線２、超音波センサ３、音響レンズ４、筐体５、封止層７に関しては、上述の第１の実施の形態と同様であり、説明を省略する。
【００４４】
図３に示す超音波探触子は、複数の放熱窓６を有しており、この複数の放熱窓６のうちの少なくとも１つは、封止層７から離れた位置（接しない位置）に位置されている。すなわち、図３に示す超音波探触子では、封止層７が超音波センサ３の上面（被検体側と対向する面）と同一レベルまで充填されているが、この封止層７の上面レベルよりも上部（ケーブル１が配置されている側）に位置する筐体５の任意の箇所に、放熱窓６が配置される。なお、図３に図示されているように、封止層７と接するような位置に放熱窓６を更に設けてもよい。
【００４５】
さらに、筐体５の内壁部には、封止層７と、封止層７から離れた位置に配置されている放熱窓６との両方に接する熱伝導層９が配置されている。この熱伝導層９に用いられる材料としては、筐体５に用いられる材料の熱伝導率よりも大きい熱伝導率を有する材料が用いられる。すなわち、筐体５の熱伝導率Ｎと熱伝導層９の熱伝導率Ｄ２との関係は、Ｎ＜Ｄ２である。
【００４６】
次に、上述のような構成を有する、図３に示す超音波探触子に係る動作について説明する。上述の第１の実施の形態における超音波探触子と同様に、超音波センサ３において発生した熱は、超音波センサ３に接する音響レンズ４や封止層７を始めとする様々な方向に伝導する。このとき、封止層７に伝導した熱は、熱伝導層９全体に伝わり、熱伝導層９と接する任意の位置に配置された放熱窓６から外部に放熱される。すなわち、熱伝導層９によって、封止層７の熱を、筐体５の任意の位置に配置された放熱窓６に伝えることが可能となる。
【００４７】
なお、熱伝導層９の存在によって、放熱窓６を筐体５の任意の位置に配置することが可能となり、放熱窓６を複数設けたり、放熱窓６の窓面積を大きく設定したりすることが可能となる。これにより、上述の第１の実施の形態における超音波探触子よりも、音響レンズ４の表面温度の上昇を抑制する効果を高めることが可能となる。
【００４８】
なお、熱伝導層９としては、カーボンナノチューブや酸化マグネシウム、アルミナ、窒化ホウ素、窒化ケイ素、窒化アルミニウムやグラファイトシートやＴＰＧ（トリプロピレングリコール）シートなどから構成され、熱伝導率が、２００［Ｗ／（ｍ・ｋ）］以上の材料を特徴とすることが望ましい。
【００４９】
また、放熱窓６としては、プラスチックやシリコン樹脂やエポキシ樹脂、材質からなり、熱伝導率が、０．７［Ｗ／（ｍ・ｋ）］以上であることを特徴とするが、チタン、鉄、銅、真鍮、金、銀、カーボンナノチューブや酸化マグネシウム、アルミナ、窒化ホウ素、窒化ケイ素、窒化アルミニウムや、グラファイトを含むプラスチックやシリコン樹脂やエポキシ樹脂、材質からなり、熱伝導率が、２０［Ｗ／（ｍ・ｋ）］以上であることを特徴とすることが望ましい。また、放熱窓６として、絶縁材料（絶縁体）を用いることも可能であり、これによって、外部からの電気的衝撃などから内部の超音波センサの性能劣化を防ぐという効果を持たせることも可能である。
【００５０】
なお、図３では、放熱窓６及び封止層７の両方と接するように、熱伝導層９が配置されているが、例えば、さらに、超音波センサ３とも接するように熱伝導層９を配置することによって、音響レンズ４の表面温度の上昇を抑制する効果をより高めることが可能となる。
【００５１】
以上、説明したように、本発明の第３の実施の形態における超音波探触子によれば、筐体５の任意の位置に放熱窓６を設け、筐体５の内壁部に、筐体５の熱伝導率より大きい熱伝導率を有する熱伝導層９を、例えば、放熱窓６及び封止層７の両方と接するように配置することによって、超音波センサ３で発生した熱を積極的に放熱窓６に伝導して外部に放熱することが可能となる。その結果、音響レンズ４の表面温度の上昇を抑制することが可能となる。
【００５２】
なお、上述の第１〜第３の実施の形態において説明した本発明の概念は、任意の形状の超音波探触子に適用可能である。また、上述の第１〜第３の実施の形態において説明した本発明の概念を、適宜組み合わせることも可能である。
【産業上の利用可能性】
【００５３】
本発明に係る超音波探触子は、被検体と接触する音響レンズの表面温度の上昇を抑制することができるという効果を有しており、超音波探触子を用いて超音波診断を行う各種医療分野や、超音波探触子の製造を行う医療装置の製造分野などに適用可能である。
【図面の簡単な説明】
【００５４】
【図１】本発明の第１の実施の形態における超音波探触子の概略構造図
【図２】本発明の第２の実施の形態における超音波探触子の概略構造図
【図３】本発明の第３の実施の形態における超音波探触子の概略構造図
【図４】従来の技術に係る超音波探触子の概略構造図
【符号の説明】
【００５５】
１、１０５  ケーブル
２、１０４  信号線
３、１０２  超音波センサ
４、１０３  音響レンズ
５、１０１  筐体
６  放熱窓
７、１０６  封止層
８  熱伝導路
９  熱伝導層
【図１】
2006158483.tif 000003
【図２】
2006158483.tif 000004
【図３】
2006158483.tif 000005
【図４】
2006158483.tif 000006